(57)【要約】      （修正有）【課題】製作および組立作業の簡易化を実現させるゴルフクラブヘッドを提供する。【解決手段】ゴルフクラブヘッドは本体１０およびソール部材２０を備える。本体１０は打球面１２、底部１５に形成された開口部および開口部の一側に形成された突出縁部１６を有する。ソール部材２０は本体１０の開口部を覆い、一側に本体１０の突出縁部１６に対応する嵌合溝を有する。上述した構造の特徴により、ソール部材２０と本体１０とを結合させて固定することができる。【選択図】図２
0003229481.tif 000002
【実用新案登録請求の範囲】
【請求項１】
本体およびソール部材を備え、
前記本体はクラウン部、打球面、周面、ネック部および底部を有し、前記打球面は前記クラウン部の一側から下へ平坦に広がって形成され、前記周面は前記クラウン部の環状辺縁部から外側へ広がって形成され、前記ネック部は前記クラウン部の一側に配置され、前記底部は前記打球面の底部辺縁から前記打球面の後方へ伸びて形成され、末端に突出縁部を有し、前記周面の底部辺縁は前記底部に連なって開口部を形成し、
前記ソール部材は形が前記本体の前記開口部の形に対応し、周縁が前側辺縁部および後側辺縁部に分けられ、前記前側辺縁部は前記本体の前記底部の前記突出縁部に対応し、嵌合溝を有し、前記後側辺縁部は前記前側辺縁部以外の部位であり、
前記ソール部材は前記嵌合溝と前記本体の前記底部の前記突出縁部とが相互に嵌合することによって前記本体の前記開口部を覆うことを特徴とする、
ゴルフクラブヘッド。
【請求項２】
前記本体において、前記開口部は前記底部の前記突出縁部に相対する辺縁部に一つ以上の突起部を有することを特徴とする請求項１に記載のゴルフクラブヘッド。
【請求項３】
前記ソール部材の周縁は前記本体の前記開口部の周縁を覆い、前記ソール部材の前記後側辺縁部は前記嵌合溝の反対側に位置付けられ、前記開口部の前記突起部の外側に重なって連結されることを特徴とする請求項２に記載のゴルフクラブヘッド。
【請求項４】
前記嵌合溝の総長は前記本体の前記底部の前記突出縁部の総長より小さいことを特徴とする請求項１に記載のゴルフクラブヘッド。
【請求項５】
前記本体において、前記底部の前記突出縁部は前記周面の底部辺縁と前記底部に連なって曲がる部位まで広がって前記底部と前記周面の前記底部辺縁の結合強度を増大させることを特徴とする請求項１に記載のゴルフクラブヘッド。
【請求項６】
前記本体において、前記突出縁部の総長は前記開口部の周縁の総長の１／２以下であることを特徴とする請求項１に記載のゴルフクラブヘッド。
【考案の詳細な説明】
【技術分野】
【０００１】
本考案はゴルフクラブヘッド、特にツーピースゴルフクラブヘッドに関するものである。
【背景技術】
【０００２】
従来のゴルフクラブヘッドとして特許文献１に開示されたツーピースゴルフクラブヘッドは、本体およびソール部材を備える。本体は頂面、周面、ネック部、開口部および打球面を有する。周面は頂面の周りに沿って環状に形成される。ネック部は頂面の一側に配置される。開口部は周面の底部に形成される。打球面は周面の一部分から形成される。ソール部材は周面の開口部に装着される。
特許文献１の特徴は次のとおりである。本体はさらに環状突出縁部を有する。環状突出縁部は開口部に形成される。ソール部材は突出縁部と、環状突出縁部に対応する嵌合溝とを有するため、本体と結合して安定性を維持することができる。
【０００３】
上述した構造の特徴により、特許文献１は良好な結合強度を確保できる。しかし、本体またはソール部材は金属鋳造品であるため、質感が粗くて公差が大きい。本体は開口部全体の周りに突出縁部が環状に分布するため、ソール部材の突出縁部および嵌合溝と、本体の開口部全体の周りに分布する環状突出縁部とを相互に嵌合させることが難しい。公差または変形は組立作業に支障をきたす要因となりうるため、何回も後続加工を行って部品を調整することは免れられない。
【先行技術文献】
【特許文献】
【０００４】
【特許文献１】台湾実用新案出願１０２２１３１８１号公報
【考案の概要】
【考案が解決しようとする課題】
【０００５】
上述した問題点に鑑み、本考案は製作過程において比較的大きい公差を許容することによって何回も後続加工を行って部品を調整する作業を免れ、製作および組立作業の簡易化を実現させるゴルフクラブヘッドを提供することを主な目的とする。
【課題を解決するための手段】
【０００６】
上述した課題を解決するためのゴルフクラブヘッドは、本体およびソール部材を備える。本体はクラウン部、打球面、周面、ネック部および底部を有する。打球面はクラウン部の一側から下へ平坦に広がって形成される。周面はクラウン部の環状辺縁部から外側へ広がって形成される。ネック部はクラウン部の一側に配置される。底部は打球面の底部辺縁から打球面の後方へ伸びて形成され、末端に突出縁部を有する。ソール部材は形が本体の開口部の形に対応し、周縁が前側辺縁部および後側辺縁部に分けられる。前側辺縁部は本体の底部の突出縁部に対応し、嵌合溝を有する。後側辺縁部は前側辺縁部以外の部位である。ソール部材は嵌合溝と本体の底部の突出縁部とが相互に嵌合することによって本体の開口部に被さる。
【０００７】
比較的好ましい場合、本体において、開口部は底部の突出縁部に相対する辺縁部に一つ以上の突起部を有する。
【０００８】
比較的好ましい場合、本体において、突出縁部の総長は開口部の周縁の総長の１／２以下である。
【０００９】
比較的好ましい場合、本体において、一つ以上の突起部は連続せず分離する構造である。
【図面の簡単な説明】
【００１０】
【図１】本考案の一実施形態によるゴルフクラブヘッドを示す斜視図である。
【図２】本考案の一実施形態によるゴルフクラブヘッドを示す分解斜視図である。
【図３】本考案の一実施形態によるゴルフクラブヘッドを別の角度から見た斜視図である。
【図４】本考案の一実施形態によるゴルフクラブヘッドのソール部材を別の角度から見た斜視図である。
【図５】図１中の５−５線に沿った断面図である。
【考案を実施するための形態】
【００１１】
以下、本考案によるゴルフクラブヘッドを図面に基づいて説明する。本明細書において、図中の同じ符号は同じ部品または類似した部品またはその構造特徴を示す。本考案の権利範囲は方向性用語に限定されるものでない。前後、上下、左右、頂部、底部、内側、外側などの方向性用語は通常使用する方向または図面に示した方向に基づいて表現される。
【００１２】
（一実施形態）
図１から図５に示すように、本考案の一実施形態によるゴルフクラブヘッドは本体１０およびソール部材２０を備える。
【００１３】
本体１０はクラウン部１１、打球面１２、周面１３、ネック部１４および底部１５を有する。打球面１２はクラウン部１１の一側から下へ平坦に広がって形成される。周面１３はクラウン部１１の環状辺縁部から外側へ広がって形成される。ネック部１４はクラウン部１１の一側に配置され、ゴルフクラブのシャフトの装着に用いられる。底部１５は打球面１２の底部辺縁から打球面１２の後方へ伸びて形成され、末端に突出縁部１６を有する。周面１３の底部辺縁は底部１５に連なって開口部１７を形成する。
本体１０において、開口部１７は底部１５の突出縁部１６に相対する辺縁部に一つ以上の突起部１８を有する。本実施形態において、突起部１８は数が一つであるが、これに限定されず、二つまたは三つであってもよい。突起部１８は連続せず分離する構造であり、部分的な位置決めおよび支えに用いられる。
【００１４】
ソール部材２０は形が本体１０の開口部１７の形に対応し、周縁が前側辺縁部および後側辺縁部に分けられる。前側辺縁部は本体１０の底部１５の突出縁部１６に対応し、嵌合溝２１を有する。後側辺縁部は前側辺縁部以外の部位である。嵌合溝２１の総長は本体１０の底部１５の突出縁部１６の総長より小さい。
ソール部材２０は嵌合溝２１と本体１０の底部１５の突出縁部１６とが相互に嵌合することによって本体１０の開口部１７を覆う。ソール部材２０の周縁は本体１０の開口部１７の周縁を覆う。ソール部材２０の後側辺縁部は嵌合溝２１の反対側に位置付けられ、開口部１７の突起部１８の外側に重なって連結される。
【００１５】
本体１０およびソール部材２０を固定する際、溶接または爆発溶接法を採用することができる。詳しく言えば、ソール部材２０と本体１０を結合させる際、ソール部材２０の一側の嵌合溝２１と本体１０の底部１５の突出縁部１６とは相互に嵌合する。ソール部材２０の後側辺縁部は本体１０の突起部１８に重なって連結される。従って、組立作業を行う際、両者の別の部位に公差が比較的大きくても組立作業に支障をきたすことがないため、本体１０またはソール部材２０の二次加工の手順および時間を大幅に削減することができる。一方、ソール部材２０と本体１０は二つの単独の部材であるため、密度の比較的高い材料でソール部材２０を製作すればソール部材２０の重量を増大させてゴルフクラブヘッドの重心を低くし、ボールを打つ際の安定性を向上させることができる。
【００１６】
本体１０において、底部１５の突出縁部１６が周面１３の底部辺縁と底部１５に連なって曲がる部位まで広がれば底部１５と周面１３の底部辺縁の結合強度を増大させ、彎曲部位に応力が生じたことが原因で穴が開くという事態を抑制することができる。突出縁部１６の総長が開口部１７の周縁の総長の１／２以下であれば好ましい。
【符号の説明】
【００１７】
１０  本体  
１１  クラウン部  
１２  打球面  
１３  周面  
１４  ネック部  
１５  底部  
１６  突出縁部  
１７  開口部  
１８  突起部  
２０  ソール部材  
２１  嵌合溝
【図１】
0003229481.tif 000003
【図２】
0003229481.tif 000004
【図３】
0003229481.tif 000005
【図４】
0003229481.tif 000006
【図５】
0003229481.tif 000007